(57)【要約】      （修正有）【課題】布団等を圧縮し樹脂フィルム袋に梱包する布団等の圧縮装置を提供する。【解決手段】後端のヒンジ３を軸として回動し上方の初期位置である開放位置から下方の閉止位置へと閉じられる上ごて１と、該上ごてを上下に駆動する装置本体の左右に設けられた１対のシリンダー装置７と、該１対のシリンダー装置と同時に駆動されて上方の初期位置から下方に前記ヒンジを押し下げる装置本体に設けられた他のシリンダー装置と、布団等９９が載置され前記上ごて１が閉じられた位置で該上ごて１との間で布団等が圧縮される下ごて２とからなる布団等の圧縮装置である。【選択図】図１
2019059545.tif 000002
【特許請求の範囲】
【請求項１】
後端のヒンジを軸として回動し上方の初期位置である開放位置から下方の閉止位置へと閉じられる上ごてと、該上ごてを上下に駆動する装置本体の左右に設けられた１対のシリンダー装置と、該１対のシリンダー装置と同時に駆動されて上方の初期位置から下方に前記ヒンジを押し下げる装置本体に設けられた他のシリンダー装置と、布団等が載置され前記上ごてが閉じられた位置で該上ごてとの間で布団等が圧縮される下ごてとからなる布団等の圧縮装置
【発明の詳細な説明】
【技術分野】
【０００１】本発明は布団等を圧縮し樹脂フィルム袋に梱包する布団等の圧縮装置に関するものである。
【背景技術】
【０００２】従来において布団等を樹脂フィルム袋に入れて吸引装置で袋内部の空気を吸引して減圧し、布団等を圧縮状態にして梱包する減圧式の布団等の圧縮装置は公知であるが、それらは減圧に時間がかかり、ひとつの梱包に例えば３分程度かかっていた。
さらに従来の減圧式の布団等の圧縮装置は減圧機能が必要なためどうしても装置が複雑になり、しかも高価になっていた。
【発明が解決しようとする課題】
【０００３】本発明は以上の従来の課題を解決し、圧縮の処理時間が短く、しかも装置が単純で、さらに具体的には上ごてと下ごてで圧縮する圧縮装置において、３つのシリンダー装置で圧縮するため減圧を用いなくても均一に布団等に圧縮力を与えることが可能になり、しかも布団等を最終的には上ごてと下ごてがほぼ平行な圧縮状態となって圧縮するのであるが、圧縮過程においては僅かに後方が沈んだ傾斜状態で圧縮していくため、布団等が収納されたフィルム袋内の空気を袋の開口から効率的に押し出して、短い時間で圧縮度の高い圧縮が可能になる布団等の圧縮装置の提供を目的とする。
【課題を解決するための手段】
【０００４】本発明は以上の目的を達成するために、後端のヒンジを軸として回動し上方の初期位置である開放位置から下方の閉止位置へと閉じられる上ごてと、該上ごてを上下に駆動する装置本体の左右に設けられた１対のシリンダー装置と、該１対のシリンダー装置と同時に駆動されて上方の初期位置から下方に前記ヒンジを押し下げる装置本体に設けられた他のシリンダー装置と、布団等が載置され前記上ごてが閉じられた位置で該上ごてとの間で布団等が圧縮される下ごてとからなる布団等の圧縮装置を提案するものである。
【発明を実施するための最良の形態】
【０００５】以下本発明の布団等の圧縮装置を図面に示す実施例に従い説明する。
図１及び図２は本発明の布団等の圧縮装置を示し、該布団等の圧縮装置は装置本体（９）の上端に設けられ、金属板等で作られた下ごて（２）を有する。
該下ごて（２）の後端上方に位置決めされたヒンジ（３）において上ごて（１）が、すなわち該ヒンジ（３）を軸として回動し上方の初期位置である開放位置から下方の閉止位置へと閉じられる上ごて（１）が、軸支して設けられる。
該上ごて（１）は金属板等で作られ、装置正面（図１の左側）に樹脂フィルム袋（５）（図３参照）及び圧縮されるべき布団等（９９）（図５参照）が挿入可能なスペースＳが設けられる。【０００６】また上ごて（１）は、該上ごて（１）を上下に駆動する装置本体（９）の左右に設けられた１対のシリンダー装置（４）により、回動可能にされる。
次に前記下ごて（２）には布団等が載置され、前記上ごて（１）が閉じられた位置で該上ごて（１）との間で布団等（９９）が圧縮されることになる。
次に装置本体（９）の左右（図１は側面図で図示されていないが左と右に各々ひとつずつ）に設けられた１対の前記シリンダー装置（４）は、例えばエアー駆動のものを用いることが可能であり、その場合はシリンダー（４ａ）とピストン（４ｃ）を有し、シリンダー（４ａ）は軸（４ｂ）で装置本体（９）に取り付けられ、他方ピストン（４ｃ）は軸（４ｄ）で上ごて（１）に取り付けられる。【０００７】また軸（４ｂ）は圧縮時（上ごて（１）の下降リミット時）における上ごて（１）と下ごて（２）の隙間寸法を調整可能にするため、シリンダー（４ａ）の軸位置調整板（８）を介して装置本体（９）に固定される。
すなわち軸位置調整板（８）は長孔（８ａ）において装置本体（９）にボルト等で固定されることになる。
次に前記ヒンジ（３）は、それを上下動可能に支持するためのシリンダー装置（７）のピストン（７ｃ）に（そこから延びるロッドの上端に）取り付けられる。
すなわちヒンジ（３）は装置本体（９）に直接取り付けられているのではなく、シリンダー装置（７）のピストン（７ｃ）に上下動可能に取り付けられ支持されているのである。
該シリンダー装置（７）は装置本体（９）（その固定部分（９１）（９２において固定される）に取り付けられ、前記１対のシリンダー装置（４）と同時に駆動されて、前記ヒンジ（３）を上方の初期位置から下方に押し下げるものである。
上ごて（１）が下降して下ごて（２）との間で布団等（９９）を圧縮するのであるが、布団等（９９）の圧縮終了時（すなわち最終的）には上ごて（１）と下ごて（２）はほぼ平行な状態となるが、その圧縮過程においては、上ごて（１）は僅かに後方が沈んだ傾斜状態で圧縮していくことになる。【０００８】何故なら上ごて（１）の初期状態は前方（図１の左側）が後方より上昇した傾斜状態であり、他方で最終的な上ごて（１）と下ごて（２）の状態はほぼ平行な状態であるが、１対のシリンダー装置（４）とシリンダー装置（７）の３つが同時に駆動されるのであるから上ごて（１）は初期状態の傾斜状態から最終的なほぼ平行な状態になるためにはその圧縮過程において、上ごて（１）は僅かに後方が沈んだ傾斜状態で圧縮していくことになる、以上が理由である。
以上の実施例に示した本発明の布団等の圧縮装置の使い法または使用時の装置の作用を次に説明する。
すなわち図１の状態は本発明の布団等の圧縮装置の待機状態であり、この状態で使用者は例えば図３に示す樹脂フィルム袋（５）に布団等（９９）を入れてスペースＳから下ごて（２）上に挿入する。
ここで樹脂フィルム袋（５）はあくまでも一例として図３のもの、が示されるが、そこで図３の樹脂フィルム袋（５）の詳細を次に説明する。【０００９】すなわち樹脂フィルム袋（５）は袋部（５ａ）とシール部（５ｂ）を有して、一対のフィルム（５２）（５３）で構成され、その四角い形状の４辺の１辺だけが開かれており（図３の左側）、他の３辺は袋部（５ａ）であり、該袋部（５ａ）は一体シール部（５１）において一対のフィルム（５２）（５３）が一体化されたものである（密封されている）。
図３のＡ−Ａ断面である図４に、開かれた１辺を自動または手動でシールして樹脂フィルム袋（５）を密閉するための構造の一例が示される。
すなわち図示のものはシール部（５ｂ）を有し、これは一対のフィルム（５２）（５３）の内面にレール状雄突起ｅとレール状雌突起ｆが対向して設けられ、それらは相互に押し付けられることにより雄雌結合し、その結果樹脂フィルム袋（５）の内部空間を外部空間から（空気の出入りについて）遮断することになる。【００１０】再び前述の使用方法の説明の続きに戻ることにするが、樹脂フィルム袋（５）に布団等を入れてスペースＳから下ごて（２）上に挿入した後に、使用者は左右１対のシリンダー装置（４）とシリンダー装置（７）を同時に駆動する、例えばエアーシリンダーならば高圧エアーを３つのシリンダー室の各々の一方の室に供給し、ピストン（４ｃ）とピストン（７ｃ）を同時に図１の下方に動かす。
これにより上ごて（１）は下降していき、樹脂フィルム袋（５）とそこに入れられた布団等（９９）は圧縮されていく。
前述の様に上ごて（１）と下ごて（２）で圧縮する圧縮過程において、上ごて（１）の初期状態は前方（図１の左側）が後方より上昇した傾斜状態であり、他方で最終的な上ごて（１）と下ごて（２）の状態はほぼ平行な状態であるが、１対のシリンダー装置（４）とシリンダー装置（７）の３つが同時に駆動されるのであるから上ごて（１）は初期状態の傾斜状態から最終的なほぼ平行な状態になるためにはその圧縮過程において、上ごて（１）は僅かに後方が沈んだ傾斜状態で圧縮していくことになる。【００１１】３つのピストン（４ｃ）（４ｃ）（７ｃ）が縮んだ状態である図２においては図５に示す様に樹脂フィルム袋（５）とそこに入れられた布団等（９９）は圧縮された状態になる。
次に使用者は図３及び図４に示した樹脂フィルム袋（５）であれば、その開口部においてレール状雄突起ｅとレール状雌突起ｆを相互に押し付けて一対のフィルム（５２）（５３）を雄雌結合し樹脂フィルム袋（５）を密封して作業を完了する。
樹脂フィルム袋（５）の密封方法は図３乃至５に示した方法に限らない、すなわち例えばレール状雄突起ｅとレール状雌突起ｆの雄雌結合を用いずに単に一対のフィルム（５２）（５３）の開口部を上下に挟んで熱溶着する方法（種々公知である）でもよい。
その場合は熱溶着に適する樹脂フィルム袋（５）の材質を選択すべきである。
【発明の効果】
【００１２】以上の実施例に示した本発明の効果を次に示す。
（１）本発明の布団等の圧縮装置は、後端のヒンジを軸として回動し上方の初期位置である開放位置から下方の閉止位置へと閉じられる上ごてと、該上ごてを上下に駆動する装置本体の左右に設けられた１対のシリンダー装置と、該１対のシリンダー装置と同時に駆動されて上方の初期位置から下方に前記ヒンジを押し下げる装置本体に設けられた他のシリンダー装置を有するため、すなわち３つのシリンダー装置で圧縮するため減圧を用いなくても均一に布団等に圧縮力を与えることが可能になり、しかも装置が単純になる。
（２）本発明の布団等の圧縮装置は、上ごてと下ごてで圧縮し、布団等を最終的には上ごてと下ごてがほぼ平行な圧縮状態となって圧縮するのであるが、その圧縮過程において、上ごては僅かに後方が沈んだ傾斜状態で圧縮していくため布団等が収納されたフィルム袋内の空気を袋の開口から効率的に押し出すことが可能になり、その結果短い時間で圧縮度の高い圧縮が可能になった。
【図面の簡単な説明】
【００１３】
【図１】本発明の布団等の圧縮装置の上ごてが開いた状態の右側面図
【図２】本発明の布団等の圧縮装置の上ごてが閉じた状態の右側面図
【図３】本発明の布団等の圧縮装置に用いることが可能な樹脂フィルム袋のあくまでも一例の斜視図
【図４】図３のＡ−Ａ断面図
【図５】図３の樹脂フィルム袋に布団等を圧縮梱包した状態の横断面図
【符号の説明】
【００１４】１      上ごて
２      下ごて
３      ヒンジ
４      シリンダー装置
４ａ    シリンダー
４ｂ    軸
４ｃ    ピストン
４ｄ    軸
５      樹脂フィルム袋
５ａ    袋部
５ｂ    シール部
５１    一体シール部
５２    フィルム
５３    フィルム
７      シリンダー装置
７ａ    シリンダー
７ｃ    ピストン
８      軸位置調整板
８ａ    長孔
９      装置本体
９１    固定部分
９２    固定部分
９９    布団等
【図１】
2019059545.tif 000003
【図２】
2019059545.tif 000004
【図３】
2019059545.tif 000005
【図４】
2019059545.tif 000006
【図５】
2019059545.tif 000007